(57)【要約】  車体の左右側面にて荷台の下面と隔てて板状のサイドガードが取り付けられたトラックにおいて、荷台とサイドガードとの間に、柔軟性を有する矩形形状のシートが取り付けられている。具体的には、シートの上下方向の一端部が、荷台及びサイドガードの一方に固定され、シートの上下方向の他端部が、荷台及びサイドガードの他方に着脱可能に固定されている。
2017109831.tif 000002
【特許請求の範囲】
【請求項１】
車体の左右側面において荷台の下面と隔てて板状のサイドガードが取り付けられたトラックのサイドスカートであって、
前記車体の前後方向に延びる矩形形状をなし、前記荷台及び前記サイドガードの一方に上下方向の一端部が固定され、前記荷台及び前記サイドガードの他方に上下方向の他端部が着脱可能に固定された、柔軟性を有するシートを含む、
ことを特徴とするトラックのサイドスカート。
【請求項２】
前記シートには、開閉可能なフラップが少なくとも１つ形成されている、
ことを特徴とする請求項１に記載のトラックのサイドスカート。
【請求項３】
前記フラップは、面ファスナーによって固定されている、
ことを特徴とする請求項２に記載のトラックのサイドスカート。
【請求項４】
前記フラップの先端に位置する角部は、ねじによって固定されている、
ことを特徴とする請求項３に記載のトラックのサイドスカート。
【請求項５】
前記フラップは、線ファスナーによって固定されている、
ことを特徴とする請求項２に記載のトラックのサイドスカート。
【請求項６】
前記フラップの外縁の一端部に、前記線ファスナーのスライダーを収納する収納部が形成されている、
ことを特徴とする請求項５に記載のトラックのサイドスカート。
【請求項７】
前記フラップは、上下方向の上部が開閉する、
ことを特徴とする請求項２〜請求項６のいずれか１つに記載のトラックのサイドスカート。
【請求項８】
前記シートの他端部は、プラスチックバックルによって着脱可能に固定されている、
ことを特徴とする請求項１〜請求項７のいずれか１つに記載のトラックのサイドスカート。
【請求項９】
前記シートの他端部は、アイレット及びハンガーによって着脱可能に固定されている、
ことを特徴とする請求項１〜請求項７のいずれか１つに記載のトラックのサイドスカート。
【請求項１０】
前記シートの他端部は、面ファスナーによって着脱可能に固定されている、
ことを特徴とする請求項１〜請求項７のいずれか１つに記載のトラックのサイドスカート。
【請求項１１】
前記シートの一端部は、芯材を介して前記荷台又は前記サイドガードに固定されている、
ことを特徴とする請求項１〜請求項１０のいずれか１つに記載のトラックのサイドスカート。
【請求項１２】
前記シートの一端部は、前記サイドガードに固定されている、
ことを特徴とする請求項１〜請求項１１のいずれか１つに記載のトラックのサイドスカート。
【発明の詳細な説明】
【技術分野】
【０００１】
本発明は、トラックの左右側面を覆うサイドスカートに関する。
【背景技術】
【０００２】
トラックの左右側面には、歩行者、自転車、自動二輪車などが巻き込まれることを抑制するために、特開２００５−１６１９６０号公報（特許文献１）に記載されるような、板状のサイドガード（サイドバンパ）が取り付けられている。
【先行技術文献】
【特許文献】
【０００３】
【特許文献１】特開２００５−１６１９６０号公報
【発明の概要】
【発明が解決しようとする課題】
【０００４】
ところで、トラックを含む車両においては、最低地上高を確保できる限度で、左右側面の全体を板状のサイドスカートで覆うと、空気抵抗が少なくなって燃費が向上する。しかしながら、トラックのフレームの外側面には、燃料タンク、ツールボックスなどが取り付けられているため、荷台とサイドガードとの間は、例えば、燃料を補充するための作業空間として確保しておく必要がある。このため、メンテナンス作業の観点から、トラックの左右側面にサイドスカートを取り付けることができず、燃費向上が困難であった。【０００５】
そこで、本発明は、メンテナンス作業を考慮しつつ、トラックの燃費向上を可能とした、トラックのサイドスカートを提供することを目的とする。
【課題を解決するための手段】
【０００６】
車体の左右側面にて荷台の下面と隔てて板状のサイドガードが取り付けられたトラックにおいて、荷台とサイドガードとの間に、柔軟性を有する矩形形状のシートが取り付けられている。具体的には、シートの上下方向の一端部が、荷台及びサイドガードの一方に固定され、シートの上下方向の他端部が、荷台及びサイドガードの他方に着脱可能に固定されている。
【発明の効果】
【０００７】
本発明によれば、メンテナンス作業を考慮しつつ、トラックの燃費向上を図ることができる。
【図面の簡単な説明】
【０００８】
【図１】サイドガードを有するトラックの一例を示す側面図である。
【図２】シートを取り付けたトラックの一例を示す側面図である。
【図３】シートの下端部をサイドガードに固定する構造の一例を示す斜視図である。
【図４】着脱具の第１実施形態を説明する斜視図である。
【図５】着脱具の第２実施形態を説明する斜視図である。
【図６】ハンガーの詳細を示す斜視図である。
【図７】着脱具の第３実施形態を説明する斜視図である。
【図８】シートに形成されたフラップの一例を示す斜視図である。
【図９】シートに形成されたフラップの他の例を示す斜視図である。
【発明を実施するための形態】
【０００９】
以下、添付された図面を参照し、本発明を実施するための実施形態について詳述する。
図１は、サイドガードを有するトラックの一例を示す。
【００１０】
トラック１００は、車体の前後方向に延びる梯子形のフレーム１２０と、フレーム１２０の前部にチルト可能に載置されたキャビン１４０と、キャビン１４０の後方に位置するフレーム１２０に固定された荷台１６０と、を有する。キャビン１４０の下方に位置するフレーム１２０には、図示しないフロントサスペンションを介して、左右一対の前輪１８０が操舵可能に取り付けられている。また、荷台１６０の下方に位置するフレーム１２０には、図示しないリヤサスペンションを介して、２組の左右一対の後輪２００が取り付けられている。
【００１１】
前輪１８０と後輪２００との間に位置する荷台１６０の下面には、例えば、側面視でＬ字形状を有する、ステー２２０が所定間隔を隔てて複数取り付けられている。また、後輪２００の後方に位置する荷台１６０の下面には、例えば、側面視でＬ字形状を有する、ステー２４０が所定間隔を隔てて複数取り付けられている。ここで、Ｌ字形状とは、完全なＬ字形状に限らず、見た目でＬ字形状と認識できる程度でよい。
【００１２】
そして、前輪１８０と後輪２００との間に位置する車体の左右側面には、荷台１６０の下面と所定距離を隔てた状態で、車体の前後方向に長辺が延びる矩形形状を有する、例えば、樹脂などからなる板状の第１のサイドガード２６０が取り付けられている。即ち、第１のサイドガード２６０は、Ｌ字形状のステー２２０の外側面、要するに、荷台１６０から下方へ垂下する部分の外側面に、例えば、ボルトなどの締結具を介して取り付けられている。ここで、矩形形状とは、完全な矩形形状に限らず、見た目で矩形形状であると認識できる程度でよい。
【００１３】
後輪２００の後方に位置する車体の左右側面には、荷台１６０の下面と所定距離を隔てた状態で、車体の前後方向に長辺が延びる矩形形状を有する、例えば、樹脂などからなる板状の第２のサイドガード２８０が取り付けられている。即ち、第２のサイドガード２８０は、Ｌ字形状のステー２４０の外側面、要するに、荷台１６０から下方へ垂下する部分の外側面に、例えば、ボルトなどの締結具を介して取り付けられている。
【００１４】
従って、トラック１００の左右側面には、前輪１８０と後輪２００との間に第１のサイドガード２６０が取り付けられ、後輪２００の後方に第２のサイドガード２８０が取り付けられるため、歩行者、自転車、自動二輪車などが巻き込まれることを抑制できる。
【００１５】
ところで、フレーム１２０の外側面、具体的には、サイドレールの外側面には、図示しない、燃料タンク、ツールボックス、バッテリ、排気浄化装置の還元剤タンクなどが取り付けられている。このため、トラック１００の左右側面において、荷台１６０と第１のサイドガード２６０又は第２のサイドガード２８０との間に位置する空間は、例えば、燃料タンクに燃料を補充する作業空間として機能する。従って、トラック１００の燃費を向上させるために、上記空間を単純に塞いで、空気抵抗を減らすことはできない。
【００１６】
そこで、本実施形態においては、次のような工夫をすることで、燃料補充などのメンテナンス作業を考慮しつつ、トラックの燃費向上を可能とした。
即ち、図２に示すように、トラック１００の左右側面において、荷台１６０と第１のサイドガード２６０との間を第１のシート３００で覆うと共に、荷台１６０と第２のサイドガード２８０との間を第２のシート３２０で覆う。第１のシート３００及び第２のシート３２０は、車体の前後方向に長辺が延びる矩形形状をなし、例えば、ファブリックなどの柔軟性を有するシートとすることができる。
【００１７】
第１のシート３００及び第２のシート３２０の上下方向の一端部は、荷台１６０並びに第１のサイドガード２６０若しくは第２のサイドガード２８０の一方に、例えば、ボルト及びナットを含む締結具を介して固定されている。また、第１のシート３００及び第２のシート３２０の上下方向の他端部は、荷台１６０並びに第１のサイドガード２６０若しくは第２のサイドガード２８０の他方に、後述する着脱具を介してワンタッチで着脱可能に固定されている。
【００１８】
以下の説明においては、第１のシート３００及び第２のシート３２０の一端部が、第１のサイドガード２６０及び第２のサイドガード２８０に夫々固定されるものとする。このようにすれば、着脱具による固定を解除したとき、第１のシート３００及び第２のシート３２０が自重によって垂れ下がり、例えば、作業者が第１のシート３００及び第２のシート３２０を保持していなくとも、上記作業空間を確保することができる。なお、第１のシート３００及び第２のシート３２０の一端部は、荷台１６０に夫々固定されていてもよい。
【００１９】
第１のシート３００及び第２のシート３２０の一端部、要するに、その下端部は、図３に示すように、例えば、矩形断面を有する長尺形状の芯材３４０を介して、第１のサイドガード２６０及び第２のサイドガード２８０に夫々固定されている。即ち、第１のシート３００及び第２のシート３２０の下端部は、芯材３４０に巻き回されている。そして、芯材３４０が巻き回された第１のシート３００及び第２のシート３２０の下端部は、ボルト及びナットを含む締結具３６０を介して、第１のサイドガード２６０及び第２のサイドガード２８０に夫々固定されている。このようにすると、第１のシート３００及び第２のシート３２０の下端部が、芯材３４０と第１のサイドガード２６０及び第２のサイドガード２８０との間に挟まれるので、シート素材に皺が発生し難くなり、空気抵抗を低減することができる。なお、第１のシート３００及び第２のシート３２０は、荷台１６０の外側面及び第１のサイドガード２６０若しくは第２のサイドガード２８０の外側面と同一面に配置することが望ましい。
【００２０】
ここで、第１のシート３００及び第２のシート３２０の他端部、要するに、その上端部を荷台１６０にワンタッチで着脱可能にする着脱具について説明する。なお、以下の説明では、第１のシート３００について説明するが、第２のシート３２０についても同様である。
【００２１】
図４は、着脱具の第１実施形態を示す。
第１のシート３００の上端部には、所定間隔を隔てた状態で、上下方向に延びる帯状のベルト３８０の下端部が、縫い付けなどによって複数固定されている。ベルト３８０の上端部には、ワンタッチで着脱可能なプラスチックバックル４００の雄コネクタ４００Ａが長さ調整可能に取り付けられている。一方、荷台１６０の下端部には、プラスチックバックル４００の雄コネクタ４００Ａに対応する位置に、上下方向に延びる帯状のベルト４２０の上端部が、ボルトを含む締結具（図示せず）によって複数固定されている。ベルト４２０の下端部には、プラスチックバックル４００の雌コネクタ４００Ｂが取り付けられている。また、第１のシート３００には、ここに下端部が固定されたベルト３８０の中間部を保持すべく、ベルト３８０の中間部が挿通される帯状の保持部４４０が形成されている。なお、雄コネクタ４００Ａ及び雌コネクタ４００Ｂは、ベルト４２０及び３８０に夫々取り付けられていてもよい。
【００２２】
従って、第１のシート３００に固定されたベルト３８０の雄コネクタ４００Ａを、荷台１６０に固定されたベルト４２０の雌コネクタ４００Ｂに結合し、ベルト３８０の自由端を引っ張ることで、第１のシート３００の上端部を荷台１６０に固定することができる。また、ベルト３８０の雄コネクタ４００Ａとベルト４２０の雌コネクタ４００Ｂとの結合を解除することで、第１のシート３００の上端部を荷台１６０から取り外すことができる。要するに、第１のシート３００の上端部は、プラスチックバックル４００によって着脱可能に固定されている。そして、第１のシート３００の上端部を荷台１６０から取り外すと、その自重によって垂れ下がるので、その内方に位置する燃料タンクなどを臨むことができる。このため、メンテナンス作業を考慮しつつ、トラック１００の燃費向上を図ることができる。
【００２３】
図５は、着脱具の第２実施形態を示す。
第１のシート３００の上端部には、所定間隔を隔てた状態で、円環形状のアイレット４６０が複数固定されている。一方、荷台１６０の下端部には、アイレット４６０に対応する位置に、アイレット４６０と着脱可能に嵌合するハンガー４８０が複数固定されている。ハンガー４８０は、図６に示すように、荷台１６０の下面への取付部となる板状の第１の部材４８０Ａと、第１の部材４８０Ａの車幅外方に位置する端部から上下方向に延びる長円形状の第２の部材４８０Ｂと、を有する。そして、ハンガー４８０は、第１の部材４８０Ａに形成された２つのボルト挿通孔４８０Ｃを介して、締結具の一例として挙げられるボルト５００によって荷台１６０の下面に締結固定されている。
【００２４】
従って、第１のシート３００のアイレット４６０をハンガー４８０に嵌合することで、第１のシート３００の上端部を荷台１６０に固定することができる。また、第１のシート３００のアイレット４６０とハンガー４８０との嵌合を解除すると、第１のシート３００の上端部を荷台１６０から取り外すことができる。要するに、第１のシート３００の上端部は、アイレット４６０及びハンガー４８０によって着脱可能に固定されている。このため、メンテナンス作業を考慮しつつ、トラック１００の燃費向上を図ることができる。なお、他の作用及び効果は、第１実施形態と同様であるので、重複説明を避けるためにその説明は省略する。必要があれば、第１実施形態の説明を参照されたい（以下同様）。
【００２５】
図７は、着脱具の第３実施形態を示す。
第１のシート３００の上端部には、所定間隔を隔てた状態で、上下方向に延びる帯状のベルト５２０の下端部が、縫い付けなどによって複数固定されている。ベルト５２０の上端部に位置する表面、即ち、車幅外方を向く面には、面ファスナー５４０のフック５４０Ａが貼り付けられている。また、ベルト５２０の表面のうち上端部を除く部分には、面ファスナー５４０のループ５４０Ｂが貼り付けられている。一方、荷台１６０の下端部には、ベルト５２０に対応する位置に、例えば、取付プレートに回転自由に結合された四角リング５６０が複数固定されている。この取付プレートは、例えば、ボルトを含む締結具（図示せず）により荷台１６０の外側面に締結固定されている。なお、ベルト５２０の上端部にループ５４０Ｂが貼り付けられ、上端部を除く部分にフック５４０Ａが貼り付けられていてもよい。
【００２６】
従って、第１のシート３００のベルト５２０の先端部を、車幅内方から四角リング５６０に貫通させ、その先端部に貼り付けられたフック５４０Ａをループ５４０Ｂに結合することで、第１のシート３００の上端部を荷台１６０に固定することができる。また、面ファスナー５４０のフック５４０Ａとループ５４０Ｂとの結合を解除することで、第１のシート３００の上端部を荷台１６０から取り外すことができる。要するに、第１のシート３００の上端部は、面ファスナー５４０によって着脱可能に固定されている。このため、メンテナンス作業を考慮しつつ、トラック１００の燃費向上を図ることができる。なお、面ファスナー５４０のフック５４０Ａとループ５４０Ｂとの結合位置を変更することで、例えば、経時変化などによって第１のシート３００の寸法が変わっても、これに対応することができる。
【００２７】
ところで、燃料タンクに燃料を補充するなどのメンテナンス作業を行うとき、第１のシート３００又は第２のシート３２０の上端部を荷台１６０から取り外すことで、その作業空間を確保することができる。しかし、頻繁にメンテナンス作業を行う必要がある燃料補充などは、次のような工夫をすることで、そのメンテナンスの作業性を更に向上させることができる。なお、以下の説明では、第１のシート３００について説明するが、第２のシート３２０についても同様である。
【００２８】
即ち、第１のシート３００には、開閉可能なフラップ５８０が少なくとも１つ形成されている。フラップ５８０は、これが開いたときに、例えば、燃料タンクの燃料補充口を臨むことができる位置に形成されている。また、フラップ５８０は、上下方向の上部が開閉する形状に形成されており、例えば、作業者がフラップ５２０を保持していなくとも、これが自重によって垂れ下がり、作業空間を確保することができる。さらに、フラップ５８０の外縁の少なくとも一部は、その開閉部分よりも外方へと張り出している。そして、この外方へと張り出した部分の内面とこれに対向する第１のシート３００の外面に、面ファスナー６００のフック６００Ａとループ６００Ｂとが貼り付けられている。なお、面ファスナー６００のフック６００Ａとループ６００Ｂとの取付位置が逆になってもよい。
【００２９】
フラップ５８０の先端（自由端）に位置する角部には、ねじ６２０を挿通する挿通孔５８０Ａが形成されている。一方、第１のシート３００には、挿通孔５８０Ａに対応する位置に、例えば、金属製の板材６４０を貼り付けることで、ねじ６２０が螺合する雌ねじ６４０Ａが形成されている。
【００３０】
従って、フラップ５８０は、面ファスナー６００のフック６００Ａ及びループ６００Ｂを結合又はこの結合を解除することで、これを容易に開閉することができる。要するに、フラップ５８０は、面ファスナー６００によって固定されている。このため、第１のシート３００の上端部を荷台１６０から取り外さなくても、作業空間が確保できることから、頻繁にメンテナンス作業を行う燃料補充などの作業性を向上させることができる。また、フラップ５８０は面ファスナー６００によって第１のシート３００に固定されているため、例えば、走行風などによって固定が解除されてしまうおそれがある。しかし、フラップ５８０の先端に位置する角部がねじ６２０によって固定されているため、走行風などに起因してフラップ５８０が開いてしまうことを抑制できる。
【００３１】
フラップ５８０は、面ファスナー６００に代えて、図９に示すように、線ファスナー６６０によって開閉可能とすることもできる。この場合、線ファスナー６６０のスライダー６６０Ａが走行風などでばたつくため、フラップ５８０の一端部、即ち、線ファスナー６６０を閉じたときにスライダー６６０Ａが位置する端部に、スライダー６６０Ａを収納する帯状の収納部６８０を形成してもよい。ここで、収納部６８０は、スライダー６６０Ａの収納を容易にするため、その一端部が面ファスナーによって開閉可能になっていてもよい。
【００３２】
このようにすれば、線ファスナー６６０のスライダー６６０Ａをスライドさせることで、フラップ５８０を容易に開閉することができる。また、線ファスナー６６０は、走行風などでスライダー６６０Ａが容易に移動しないので、これを更に固定する必要がなく、その開閉に要する労力を軽減することができる。なお、他の作用及び効果については、図８に示す面ファスナー６００と同様であるので、重複説明を排除するために、その説明を省略する。必要があれば、先の作用及び効果を参照されたい。
【符号の説明】
【００３３】
１００  トラック
１６０  荷台
２６０  第１のサイドガード（サイドガード）
２８０  第２のサイドガード（サイドガード）
３００  第１のシート（シート）
３２０  第２のシート（シート）
３４０  芯材
４００  プラスチックバックル
４６０  アイレット
４８０  ハンガー
５４０  面ファスナー
５８０  フラップ
６００  面ファスナー
６２０  ねじ
６６０  線ファスナー
６６０Ａ  スライダー
６８０  収納部
【図１】
2017109831.tif 000003
【図２】
2017109831.tif 000004
【図３】
2017109831.tif 000005
【図４】
2017109831.tif 000006
【図５】
2017109831.tif 000007
【図６】
2017109831.tif 000008
【図７】
2017109831.tif 000009
【図８】
2017109831.tif 000010
【図９】
2017109831.tif 000011
【国際調査報告】
2017109831.tif 000012
2017109831.tif 000013
2017109831.tif 000014
2017109831.tif 000015